(57)【要約】【課題】小型化を図る。【解決手段】電力を複数の負荷Ｌへ供給するための電源分配装置Ｄは、バッテリＢ（電源）に接続される入力側導電路１０と、複数の分岐用コネクタ４０と、分岐用コネクタ４０を構成するハウジング４１に取り付けられ、複数の負荷Ｌに接続される複数の出力側導電路５５と、ハウジング４１に取り付けられたバスバー４６と、バスバー４６に形成され、入力側導電路１０と接続可能な第１接続部４７と、バスバー４６に形成され、第１接続部４７と接続可能な第２接続部４９と、ハウジング４１に着脱されることで出力側導電路５５とバスバー４６とを導通し、又はその導通を解除するヒューズ６０（電子部品）とを備える。【選択図】図５
2016152717.tif 000002
【特許請求の範囲】
【請求項１】
電力を複数の負荷へ供給するための電源分配装置であって、
電源に接続される入力側導電路と、
複数の分岐用コネクタと、
前記分岐用コネクタを構成するハウジングに取り付けられ、前記複数の負荷に接続される複数の出力側導電路と、
前記ハウジングに取り付けられたバスバーと、
前記バスバーに形成され、前記入力側導電路と接続可能な第１接続部と、
前記バスバーに形成され、前記第１接続部と接続可能な第２接続部と、
前記ハウジングに取り付けられた状態では前記出力側導電路と前記バスバーを導通可能に接続し、前記ハウジングから取り外された状態では前記出力側導電路と前記バスバーとの導通を遮断する電子部品とを備えていることを特徴とする電源分配装置。
【請求項２】
前記ハウジングには、他の前記ハウジングに係止することで前記ハウジングと前記他のハウジングとを連結状態に保持する連結部が形成されていることを特徴とする請求項１記載の電源分配装置。
【請求項３】
前記ハウジングと前記他のハウジングを連結した状態では、前記第１接続部と前記第２接続部との接続部分が前記ハウジング内に収容されていることを特徴とする請求項２記載の電源分配装置。
【請求項４】
前記入力側導電路の端末部をホルダに取り付けた形態の入力側コネクタを備え、
前記ホルダと前記ハウジングには、互いに係止することで前記入力側コネクタと前記分岐用コネクタを連結状態に保持する連結部が形成されていることを特徴とする請求項１ないし請求項３のいずれか１項に記載の電源分配装置。
【請求項５】
前記ホルダと前記ハウジングを連結した状態では、前記入力側導電路と前記第１接続部との接続部分が前記ハウジング内に収容されていることを特徴とする請求項４記載の電源分配装置。
【発明の詳細な説明】
【技術分野】
【０００１】
本発明は、電源分配装置に関するものである。
【背景技術】
【０００２】
特許文献１には、車両用の電源から供給された電力を、電装品等の複数の負荷に分配するための電源分配装置が開示されている。この電源分配装置は、ボックス内にバスバーを収容したものであり、バスバーは、基部と、基部に形成された複数の分岐部とを有している。基部には、バスバーに電力を供給するための入力側電線が接続され、バスバーに供給された電力は、複数の分岐部を経由して複数の負荷へ供給されるようになっている。
【先行技術文献】
【特許文献】
【０００３】
【特許文献１】特開２００４−１５９４７８号公報
【発明の概要】
【発明が解決しようとする課題】
【０００４】
自動車に実際に搭載される電装品の数は、自動車のグレードやオプションの選択によって異なるが、バスバーに形成される分岐部の数は、搭載可能な全ての電装品と対応するように設定される。そのため、分岐部の数が多くなって、バスバーが大型化し、ひいては、電源分配装置も大型化することになる。
【０００５】
本発明は上記のような事情に基づいて完成されたものであって、小型化を図ることを目的とする。
【課題を解決するための手段】
【０００６】
本発明は、
電力を複数の負荷へ供給するための電源分配装置であって、
電源に接続される入力側導電路と、
複数の分岐用コネクタと、
前記分岐用コネクタを構成するハウジングに取り付けられ、前記複数の負荷に接続される複数の出力側導電路と、
前記ハウジングに取り付けられたバスバーと、
前記バスバーに形成され、前記入力側導電路と接続可能な第１接続部と、
前記バスバーに形成され、前記第１接続部と接続可能な第２接続部と、
前記ハウジングに取り付けられた状態では前記出力側導電路と前記バスバーを導通可能に接続し、前記ハウジングから取り外された状態では前記出力側導電路と前記バスバーとの導通を遮断する電子部品とを備えているところに特徴を有する。
【発明の効果】
【０００７】
この構成によれば、入力側導電路に接続する分岐用コネクタの数は、負荷の数に応じた必要最少数で済むので、小型化が可能である。
【図面の簡単な説明】
【０００８】
【図１】実施例１の電源分配装置の正面図
【図２】電源分配装置の平面図
【図３】電源分配装置の底面図
【図４】電源分配装置の左側面図
【図５】図２のＸ−Ｘ線断面図
【図６】入力側コネクタの正面図
【図７】入力側コネクタの平面図
【図８】入力側コネクタの右側面図
【図９】分岐用コネクタにおいてハウジングにバスバーを取り付けた状態をあらわす正面図
【図１０】分岐用コネクタにおいてハウジングにバスバーを取り付けた状態をあらわす平面図
【図１１】図９のＹ−Ｙ線断面図
【図１２】分岐用コネクタにおいてハウジングにバスバーを取り付けた状態をあらわす右側面図
【発明を実施するための形態】
【０００９】
（ａ）本発明の電源分配装置は、前記ハウジングには、他の前記ハウジングに係止することで前記ハウジングと前記他のハウジングとを連結状態に保持する連結部が形成されていてもよい。この構成によれば、複数のハウジングを連結した状態に保持することにより、バスバー同士の接続状態が安定する。
【００１０】
（ｂ）本発明の電源分配装置は、（ａ）において、前記ハウジングと前記他のハウジングを連結した状態では、前記第１接続部と前記第２接続部との接続部分が前記ハウジング内に収容されていてもよい。この構成によれば、バスバー同士の接続部分を、異物の干渉等から保護することができる。
【００１１】
（ｃ）本発明の分限分配装置は、前記入力側導電路の端末部をホルダに取り付けた形態の入力側コネクタを備え、前記ホルダと前記ハウジングには、互いに係止することで前記入力側コネクタと前記分岐用コネクタを連結状態に保持する連結部が形成されていてもよい。この構成によれば、入力側コネクタと分岐用コネクタを連結した状態に保持することにより、入力側導電路とバスバーとの接続状態が安定する。
【００１２】
（ｄ）本発明の電源分配装置は、（ｃ）において、前記ホルダと前記ハウジングを連結した状態では、前記入力側導電路と前記第１接続部との接続部分が前記ハウジング内に収容されていてもよい。この構成によれば、入力側導電路とバスバーとの接続部分を、異物の干渉等から保護することができる。
【００１３】
＜実施例１＞
以下、本発明を具体化した実施例１を図１〜図１２を参照して説明する。図５に示すように、本実施例１の電源分配装置Ｄは、自動車のバッテリＢ（請求項に記載の電源）から供給される電力を、複数の負荷Ｌ（電装品等）へ分配するための装置である。電源分配装置Ｄは、バッテリＢに接続される１本の入力側導電路１０と、入力側導電路１０の端末部（接続金具１５）に取り付けられた入力側コネクタ２０と、分電モジュールＭとを備えて構成されている。分電モジュールＭは、複数本の出力側導電路５５を介して複数の負荷Ｌに接続されるようになっている。
【００１４】
図３，５に示すように、入力側導電路１０は、１本の導体１２を円筒状の絶縁被覆１３で包囲した入力側被覆電線１１と、入力側端子金具１４と、接続金具１５とを備えて構成されている。入力側導電路１０の基端部はバッテリＢに接続されている。入力側端子金具１４は、入力側被覆電線１１におけるバッテリＢとは反対側の端末部に導通可能に固着されている。接続金具１５は、入力側端子金具１４の先端部に接続されている。バッテリＢから供給された電力は、入力側コネクタ２０を経由して分電モジュールＭに供給され、分電モジュールＭにおいて複数の負荷Ｌへ分配されるようになっている。
【００１５】
＜入力側コネクタ２０＞
入力側コネクタ２０は、合成樹脂製のホルダ２１と、入力側端子金具１４と、接続金具１５とを備えて構成されている。図５に示すように、ホルダ２１には、上下方向に細長い入力側端子収容室２２が、ホルダ２１の下面に開口するように形成されている。入力側端子収容室２２内には入力側端子金具１４が挿入され、図示しないランス等の抜止め手段により離脱規制された状態に保持されている。入力側端子金具１４の下端部に固着された入力側被覆電線１１は、ホルダ２１の下方へ導出されている。
【００１６】
図２，８に示すように、ホルダ２１の前後両外面における上端部には、前後一対の上部受け突起２３（請求項に記載の連結部）が形成されている。上部受け突起２３の下端部近傍領域には、上方に面する上部受け面２４が形成されている。図３，８に示すように、ホルダ２１の下端部における右側領域には、その前面と後面を大きく凹ませた形態の嵌合突部２５が形成されている。嵌合突部２５の前後両外側面には、前後一対の下部受け突起２６（請求項に記載の連結部）が形成されている。また、図１，６，８に示すように、下部受け突起２６の上端部近傍領域には、下方に面する下部受け面２７が形成されている。
【００１７】
図５，８に示すように、ホルダ２１には、入力側端子収容室２２の右方に配され、全体として上下方向に長い取付け凹部２８が形成されている。取付け凹部２８の上端部は、ホルダ２１の上面に開放されているとともに、入力側端子収容室２２の上端部に連通している。取付け凹部２８の一部は、ホルダ２１の右側面に開放されている。また、図５，６に示すように、ホルダ２１の右側面の下端部には、右方へ突出した形態の突起状受け部２９が形成されている。取付け凹部２８の下端部は、突起状受け部２９の面に臨むように開放されている。
【００１８】
図６，８に示すように、ホルダ２１の上端部には、弾性抜止片３０が形成されている。弾性抜止片３０は、ホルダ２１の右外側面に沿って上方へ片持ち状に延出した形態であり、左右方向へ弾性撓み可能となっている。弾性抜止片３０の上端部には、右方へ突出した形態の抜止め突起３１が形成されている。抜止め突起３１は、ホルダ２１の右外側面よりも右方（外方）へ突出している。
【００１９】
図５に示すように、接続金具１５は、細長い金属板材を曲げ加工した単一部品である。接続金具１５には、金具本体部１６と、端子用接続部１７と、バスバー用接続部１８とが一体に形成されている。金具本体部１６は、上下方向に長く延びていて、取付け凹部２８のうちホルダ２１の右外側面に沿うように配されている。金具本体部１６の前後両側縁の凸部（図示省略）を取付け凹部２８の内面に食い込ませることにより、接続金具１５がホルダ２１に固定されている。端子用接続部１７は、金具本体部１６の上端縁から左方へ略Ｌ字形に延出した形態であり、入力側端子収容室２２内に挿入されて入力側端子金具１４に接続されている。バスバー用接続部１８は、金具本体部１６の下端縁から右方へ片持ち状に延出した形態であり、突起状受け部２９の上面に重なるように配されている。
【００２０】
＜分電モジュールＭ＞
図１，５に示すように、分電モジュールＭは、複数（負荷Ｌと同数）の分岐用コネクタ４０と、複数本（負荷Ｌと同数）の出力側導電路５５とを備えて構成されている。図３，４に示すように、出力側導電路５５は、１本の導体５７を円筒状の絶縁被覆１３で包囲した出力側被覆電線５６と、出力側端子金具５８とを備えて構成されている。出力側導電路５５の先端部は負荷Ｌに接続されている。出力側端子金具５８は、出力側導電路５５の基端部に配され、出力側被覆電線５６における負荷Ｌとは反対側の端末部に導通可能に固着されている。出力側端子金具５８は、分岐用コネクタ４０にに取り付けられている。
【００２１】
＜分岐用コネクタ４０＞
分岐用コネクタ４０は、合成樹脂製のハウジング４１と、バスバー４６と、ヒューズ６０（請求項に記載の電子部品）とを備えて構成されている。ハウジング４１は、全体として上下方向に長いブロック状をなす。図４，５に示すように、ハウジング４１の内部には、バスバー収容室４２と、出力側端子収容室４３と、電子部品収容室４４とが形成されている。ハウジング４１の右外側面には、右方へ突出した形態の突起状保持部４５が形成されている。
【００２２】
バスバー収容室４２は、ハウジング４１の左外側面に開放されている。バスバー収容室４２の下端部は、突起状保持部４５の上面に臨むように右方へ開放されている。出力側端子収容室４３は、バスバー収容室４２の後方に配され、ハウジング４１の下面に開放されている。電子部品収容室４４は、バスバー収容室４２と出力側端子収容室４３の上方に配され、ハウジング４１の上面に開放されている。電子部品収容室４４の下面は、バスバー収容室４２と出力側端子収容室４３の上端部に連通している。
【００２３】
バスバー収容室４２には、バスバー４６が取り付けられている。バスバー４６は、帯板状をなす金属板材を曲げ加工した単一部品である。バスバー４６には、第１接続部４７と、繋ぎ部４８と、第２接続部４９と、電子部品接続部５０とが一体に形成されている。第１接続部４７は、正面視形状が略Ｕ字形をなしている。第１接続部４７の折り返し状の下端部は、バスバー収容室４２の下端部に位置している。繋ぎ部４８は、第１接続部４７の右側の上端縁から下方へ延出した形態であり、バスバー収容室４２の右側の内側面に沿うように配されている。第１接続部４７は、繋ぎ部４８の上端縁を支点として上下方向へ弾性撓み可能となっている。
【００２４】
第２接続部４９は、繋ぎ部４８の下端縁から右方へ延出した形態であり、バスバー収容室４２から突出して突起状保持部４５の上面に重ねられている。図１１に示すように、第２接続部４９の前後両側縁部に形成された食い込み部５１は、突起状保持部４５の前後両縁部に食い込んでいる。この食い込み作用により、バスバー４６がハウジング４１に固定されている。電子部品接続部５０は、第１接続部４７の左側の上端縁から、上方へ片持ち状に延出した形態である。電子部品接続部５０は、左右方向へ弾性撓み可能である。
【００２５】
図３，４に示すように、出力側端子収容室４３内には、出力側端子金具５８が挿入されている。挿入された出力側端子金具５８は、図示しないランス等の係止手段により抜止め状態に保持されている。出力側端子金具５８の上端部には、スリット（図示省略）を有する電子部品圧接部５９が形成されている。出力側端子金具５８の下端部に固着した出力側被覆電線５６は、ハウジング４１の下方へ導出されている。
【００２６】
図５に示すように、電子部品収容室４４には、ハウジング４１の上方からヒューズ６０が取り付けられるようになっている。図４に示すように、ヒューズ６０は、溶断部（図示省略）が収容されたヒューズ本体６１と、ヒューズ本体６１の下端面から突出する左右一対の端子部６２とを備えている。電子部品収容室４４内に収容したヒューズ６０は、入力側コネクタ２０の弾性抜止片３０又は後述する分岐用コネクタ４０の弾性抜止片７０の係止により、離脱規制される。
【００２７】
電子部品収容室４４のヒューズ６０を収容した状態では、図５に示すように、一方の端子部６２が、バスバー収容室４２内に挿入されてバスバー４６の電子部品接続部５０と弾性的に接続する。また、図４に示すように、他方の端子部６２は、出力側端子収容室４３内に挿入されて出力側端子金具５８の電子部品圧接部５９と接続する。これにより、バスバー４６と出力側端子金具５８（出力側導電路５５）が導通可能に接続される。また、ヒューズ６０を電子部品収容室４４から取り外すと、バスバー４６と出力側端子金具５８との導通が解除される。
【００２８】
図１，１０に示すように、ハウジング４１の前後両外面における上端部には、前後一対の上部連結突起６３（請求項に記載の連結部）が形成されている。上部連結突起６３は、入力側コネクタ２０の上部受け突起２３と同じ高さに配されている。上部連結突起６３の下端部近傍領域には、上方に面する上部規制面６４が形成されている。図３，１２に示すように、ハウジング４１の下端部における右側領域には、その前面と後面を大きく凹ませた形態の連結突部６５が形成されている。連結突部６５の前後両外側面には、前後一対の下部連結突起６６（請求項に記載の連結部）が形成されている。下部連結突起６６は、入力側コネクタ２０の下部受け突起２６と同じ高さに配されている。下部連結突起６６の上端部近傍領域には、下方に面する下部規制面６７が形成されている。
【００２９】
図２，１０に示すように、ハウジング４１の上端部には、その前後両面の左端縁から左方へ片持ち状に延出した形態の前後一対の上部弾性連結片６８（請求項に記載の連結部）が形成されている。上部弾性連結片６８は、入力側コネクタ２０の上部受け突起２３及びハウジング４１の上部連結突起６３と同じ高さに配されている。上部弾性連結片６８は、前後方向に弾性撓みし得るようになっている。図３，１０に示すように、ハウジング４１の下端部には、左方へ片持ち状に延出した形態の前後一対の下部弾性連結片６９（請求項に記載の連結部）が形成されている。下部弾性連結片６９は、上下方向及び前後方向に関して、入力側コネクタ２０の下部受け突起２６及びハウジング４１の下部連結突起６６と対応するように配されている。下部弾性連結片６９は、前後方向に弾性撓みし得るようになっている。
【００３０】
ハウジング４１の上端部には、弾性抜止片７０が形成されている。弾性抜止片７０は、ハウジング４１の右外側面に沿って上方へ片持ち状に延出した形態であり、左右方向へ弾性撓み可能となっている。弾性抜止片７０の上端部には、右方へ突出した形態の抜止め突起７１が形成されている。抜止め突起７１は、ハウジング４１の右外側面よりも右方（外方）へ突出している。
【００３１】
＜実施例の作用及び効果＞
次に、本実施例の作用を説明する。電源分配装置Ｄを組み付ける際には、予め、入力側コネクタ２０に入力側端子金具１４と接続金具１５を取り付けておく。また、各分岐用コネクタ４０には、出力側端子金具５８とバスバー４６を取り付けておく。この状態からコネクタ２０，４０同士を連結するが、連結の手順は２通りある。
【００３２】
１つ目の手順では、まず、複数の分岐用コネクタ４０同士を連結して分電モジュールＭを構成する。連結の際には、一方のハウジング４１と他方のハウジング４１を左右に対向させて接近させ、左側の分岐用コネクタ４０の突起状保持部４５を、右側のバスバー収容室４２内に挿入する。すると、突起状保持部４５の上面に重ねられている第２接続部４９が、右側の分岐用コネクタ４０の第１接続部４７を弾性的に押し上げながら第１接続部４７の下に潜り込む。そして、第１接続部４７の弾性復元力により、第１接続部４７の下端部と第２接続部４９の上面がバスバー収容室４２内で弾性的に接触し、バスバー４６同士が導通可能に接続される。
【００３３】
また、２つの分岐用コネクタ４０のハウジング４１同士が左右に重なり合うと、右側の分岐用コネクタ４０の上部弾性連結片６８が、左側の分岐用コネクタ４０のハウジング４１を前後に挟みながら上部連結突起６３に係止するとともに、右側の分岐用コネクタ４０の下部弾性連結片６９が、左側の分岐用コネクタ４０の連結突部６５を前後に挟みながら下部連結突起６６に係止する。これにより、左右に隣り合う２つの分岐用コネクタ４０が、左右方向及び前後方向への相対変位を規制される。
【００３４】
また、上部弾性連結片６８が、上部規制面６４に対して当接又は接近して対向するとともに、下部弾性連結片６９が、下部規制面６７に対して当接又は接近して対向するので、左右に隣り合う２つの分岐用コネクタ４０は、上下方向への相対変位を規制される。以上により、左右に隣り合う２つの分岐用コネクタ４０が、確実に連結される。そして、上記の連結作業を順次行うことにより、複数の分岐用コネクタ４０が左右に一列に並んだ状態で連結され、分電モジュールＭが構成される。分でモジュールの組み立てが完了すると、全ての分岐用コネクタ４０のバスバー４６同士が導通可能に接続される。
【００３５】
分電モジュールＭの組み立てが完了したら、最も左側に位置する分岐用コネクタ４０に、入力側コネクタ２０を組み付ける。この組付けに際しては、入力側コネクタ２０のホルダ２１と分岐用コネクタ４０のハウジング４１を左右に対向させて接近させ、入力側コネクタ２０の突起状受け部２９を、分岐用コネクタ４０のバスバー収容室４２内に挿入する。すると、突起状受け部２９の上面に重ねられているバスバー用接続部１８が、分岐用コネクタ４０の第１接続部４７を弾性的に押し上げながら第１接続部４７の下に潜り込む。
【００３６】
そして、第１接続部４７の弾性復元力により、第１接続部４７の下端部とバスバー用接続部１８の上面がバスバー収容室４２内で弾性的に接触し、入力側コネクタ２０の接続金具１５と最も左側の分岐用コネクタ４０のバスバー４６とが導通可能に接続される。これにより、入力側コネクタ２０（入力側導電路１０）と、分電モジュールＭを構成する全ての分岐用コネクタ４０のバスバー４６とが導通可能に接続される。
【００３７】
また、入力側コネクタ２０のホルダ２１と分岐用コネクタ４０のハウジング４１が左右に重なり合うと、分岐用コネクタ４０の上部弾性連結片６８が、入力側コネクタ２０のホルダ２１を前後に挟みながら上部受け突起２３に係止するとともに、分岐用コネクタ４０の下部弾性連結片６９が、入力側コネクタ２０の嵌合突部２５を前後に挟みながら下部受け突起２６に係止する。これにより、左右に隣り合う入力側コネクタ２０と分岐用コネクタ４０とが、左右方向及び前後方向への相対変位を規制される。
【００３８】
また、分岐用コネクタ４０の上部弾性連結片６８が、入力側コネクタ２０の上部受け面２４に対して当接又は接近して対向するとともに、下部弾性連結片６９が、下部受け面２７に対して当接又は接近して対向するので、左右に隣り合う入力側コネクタ２０と分岐用コネクタ４０は、上下方向への相対変位を規制される。以上により、左右に隣り合う入力側コネクタ２０と分岐用コネクタ４０が確実に連結され、入力側コネクタ２０と分電モジュールＭが一体化される。
【００３９】
この後、各電子部品収容室４４に、夫々、ヒューズ６０を取り付ける。取り付ける過程では、ヒューズ６０の左側に位置する入力側コネクタ２０又は分岐用コネクタ４０に形成されている弾性抜止片３０，７０が、左方へ弾性撓みする。そして、ヒューズ６０が電子部品収容室４４内に収容されると、弾性抜止片３０，７０が弾性復帰してヒューズ本体６１の上面左側縁部に対して上から係止する。この係止作用により、ヒューズ６０は、電子部品収容室４４内に収容された状態に保持される。
【００４０】
尚、ヒューズ６０を取り外す際には、手作業で弾性抜止片３０，７０を左方へ弾性撓みさせ、その状態でヒューズ６０を上方へ引き抜けばよい。ヒューズ６０を取り付けると、各分岐用コネクタ４０においてはバスバー４６と出力側端子金具５８（出力側導電路５５）とが導通可能に接続される。したがって、入力側導電路１０と複数の出力側導電路５５とが導通可能に接続される。これにより、バッテリＢの電力が各負荷Ｌへ分配されて供給される。
【００４１】
コネクタ２０，４０同士を連結する２つ目の手順は、まず、入力側コネクタ２０のホルダ２１といずれか１つの分岐用コネクタ４０のハウジング４１を連結する。この連結作業は、上記と同様の要領で行うことができる。入力側コネクタ２０と分岐用コネクタ４０を連結すると、入力側コネクタ２０の接続金具１５（入力側導電路１０）と分岐用コネクタ４０のバスバー４６とが接続される。
【００４２】
この後、入力側コネクタ２０に連結した分岐用コネクタ４０に対し、その右側から別の分岐用コネクタ４０を連結する。このときの連結も、上述と同様の要領で行うことができる。分岐コネクタ同士を連結すると、バスバー４６同士が接続される。同様にして、全ての分岐用コネクタ４０を、順次に連結する。そして、全ての分岐用コネクタ４０が連結されたら、分電モジュールＭの組み立てと、分電モジュールＭと入力側コネクタ２０の連結とが同時に完了する。
【００４３】
上述のように、本実施例の電源分配装置Ｄは、電力を複数の負荷Ｌへ供給するための装置であって、バッテリＢに接続される入力側導電路１０と、複数の分岐用コネクタ４０と、分岐用コネクタ４０を構成するハウジング４１と、ハウジング４１に取り付けられるとともに複数の負荷Ｌに接続される複数の出力側導電路５５とを備える。ハウジング４１には、バスバー４６が取り付けられている。バスバー４６には、接続金具１５を介して入力側導電路１０と接続可能な第１接続部４７と、第１接続部４７に接続可能な第２接続部４９とが形成されている。
【００４４】
また、分岐用コネクタ４０にはヒューズ６０が着脱可能に設けられている。ヒューズ６０をハウジング４１に取り付けた状態では、出力側導電路５５とバスバー４６とが導通可能に接続される。ヒューズ６０をハウジング４１から取り外した状態では、出力側導電路５５とバスバー４６との導通が遮断される。かかる構成の電源分配装置Ｄを用いれば、入力側導電路１０に接続する分岐用コネクタ４０の数が、負荷Ｌの数に応じた必要最少数で済むので、小型化が可能である。
【００４５】
また、ハウジング４１には、他のハウジング４１に係止することでハウジング４１と他のハウジング４１とを連結状態に保持する連結部として、上部弾性連結片６８、下部弾性連結片６９、上部連結突起６３及び下部連結突起６６が形成されている。この構成によれば、複数のハウジング４１を連結した状態に保持することができるので、バスバー４６同士の接続状態が安定する。また、ハウジング４１と他のハウジング４１を連結した状態では、第１接続部４７と第２接続部４９との接続部分がハウジング４１内（バスバー収容室４２内）に収容されている。したがって、バスバー４６同士の接続部分を、異物の干渉等から保護することができる。
【００４６】
また、本実施例ので電源分配装置Ｄは、入力側導電路１０の端末部（接続金具１５）をホルダ２１に取り付けた形態の入力側コネクタ２０を備えている。そして、ホルダ２１と分岐用コネクタ４０のハウジング４１には、互いに係止することで入力側コネクタ２０と分岐用コネクタ４０を連結状態に保持する連結部として、上部弾性連結片６８、下部弾性連結片６９、上部受け突起２３及び下部受け突起２６が形成されていてもよい。この構成によれば、入力側コネクタ２０と分岐用コネクタ４０を連結した状態に保持することができるので、入力側導電路１０とバスバー４６との接続状態が安定する。
【００４７】
また、分岐用コネクタ４０のハウジング４１と入力側コネクタ２０のホルダ２１を連結した状態では、入力側導電路１０の端末部（接続金具１５）とバスバー４６の第１接続部４７との接続部分が、ハウジング４１のバスバー収容室４２内に収容されている。この構成によれば、入力側導電路１０とバスバー４６との接続部分を、異物の干渉等から保護することができる。
【００４８】
＜他の実施例＞
本発明は上記記述及び図面によって説明した実施例に限定されるものではなく、例えば次のような実施例も本発明の技術的範囲に含まれる。
（１）上記実施例では、ハウジング同士を連結した状態でバスバー同士の接続部分がハウジング内に収容されるようにしたが、バスバー同士の接続部分の少なくとも一部がハウジングの外部に露出していてもよい。
（２）上記実施例では、複数のハウジング同士を連結したが、複数のハウジングを連結せずに（複数のハウジングを１つのフレームに取り付けて位置決めする等の手段により）、バスバー同士を接続状態に係止させてもよい。
（３）上記実施例では、複数の分岐用を一列（一次元方向）に並ぶように連結したが、複数の分岐用コネクタを二次元方向において整列するように連結してもよい。
（４）上記実施例では、一列に並ぶ複数の分岐用コネクタに対し、入力側コネクタを同列上に並ぶように連結したが、これに限らず、入力側コネクタは、一列に並ぶ複数の分岐用コネクタに対し、その並ぶ方向と交差する方向に連結してもよい。
（５）上記実施例では、入力側コネクタとハウジングを連結した状態で入力側導電路とバスバーとの接続部分がハウジング内に収容されるようにしたが、入力側導電路とバスバーとの接続部分の少なくとも一部がハウジングの外部に露出していてもよい。
（６）上記実施例では、分岐用コネクタと入力側コネクタを連結するための手段として、ホルダとハウジングに連結部を形成したが、これに限らず、入力側導電路とバスバーに形成した連結部の係止によって入力側コネクタと分岐用コネクタを連結してもよい。
（７）上記実施例では、１つの分岐用コネクタに１つのバスバーを設けたが、１つの分岐用コネクタに複数のバスバーを設けてもよい。
（８）上記実施例では、１つの分岐用コネクタに１本の出力側導電路を接続したが、１つの分岐用コネクタに複数本の出力側導電路を接続してもよい。
（９）上記実施例において、入力側コネクタの接続金具とバスバーを溶接によって固着してもよく、バスバー同士を溶接によって固着してもよい。
（１０）上記実施例では、電子部品がヒューズであるが、本発明は、電子部品がヒューズ以外のものである場合にも適用できる。
【符号の説明】
【００４９】
Ｄ…電源分配装置
Ｂ…バッテリ（電源）
Ｌ…負荷
１０…入力側導電路
１５…接続金具（入力側導電路の端末部）
２０…入力側コネクタ
２１…ホルダ
２３…上部受け突起（連結部）
２６…下部受け突起（連結部）
４０…分岐用コネクタ
４１…ハウジング
４６…バスバー
４７…第１接続部
４９…第２接続部
５５…出力側導電路
６０…ヒューズ（電子部品）
６３…上部連結突起（連結部）
６６…下部連結突起（連結部）
６８…上部弾性連結片（連結部）
６９…下部弾性連結片（連結部）
【図１】
2016152717.tif 000003
【図２】
2016152717.tif 000004
【図３】
2016152717.tif 000005
【図４】
2016152717.tif 000006
【図５】
2016152717.tif 000007
【図６】
2016152717.tif 000008
【図７】
2016152717.tif 000009
【図８】
2016152717.tif 000010
【図９】
2016152717.tif 000011
【図１０】
2016152717.tif 000012
【図１１】
2016152717.tif 000013
【図１２】
2016152717.tif 000014